(57)【要約】【課題】外部から入力した電子ファイルを、ユーザからの指示を要することなく、処理に適した特定のデータ形式の電子ファイルに適切に変換することができる表示装置、データ変換方法、及びデータ変換プログラムを提供する。【解決手段】表示装置は、特定のデータ形式の電子ファイルを表示パネルに表示することができる。ＵＳＢケーブルが抜かれた場合（Ｓ１１：ＹＥＳ）、若しくは、メモリカードが挿入された場合には（Ｓ１２：ＹＥＳ）、特定のデータ形式とは異なるデータ形式の電子ファイルを、特定のデータ形式の電子ファイルに変換するタイミングであると判断される。データ変換中の画面が表示され（Ｓ１６）、電子ファイルの変換が順次行われる（Ｓ２３）。【選択図】図４
2010272018.tif 000002
【特許請求の範囲】
【請求項１】
特定のデータ形式の電子ファイルを表示する表示装置であって、
前記特定のデータ形式とは異なるデータ形式の未対応データを、前記特定のデータ形式の電子ファイルに変換するタイミングであるか否かを判断するタイミング判断手段と、
前記タイミング判断手段によって前記タイミングであると判断された場合に、第一記憶装置から前記未対応データを取得する未対応データ取得手段と、
前記未対応データ取得手段によって取得された前記未対応データを前記特定のデータ形式の電子ファイルに変換する変換手段と、
前記変換手段によって変換された前記特定のデータ形式の電子ファイルを、前記第一記憶装置又は前記第一記憶装置とは異なる第二記憶装置に記憶させる変換データ記憶制御手段と
を備えたことを特徴とする表示装置。
【請求項２】
電子ファイルを送信する外部機器に接続する接続手段と、
前記接続手段を介して前記外部機器から受信した電子ファイルを前記第一記憶装置に記憶させる受信データ記憶制御手段と、
前記接続手段による接続が遮断されたか否かを判断する遮断判断手段とを備え、
前記タイミング判断手段は、前記接続手段による接続が遮断されたと前記遮断判断手段によって判断された場合に、前記未対応データを変換するタイミングであると判断することを特徴とする請求項１に記載の表示装置。
【請求項３】
前記第一記憶装置は、複数の機器に着脱自在な外部記憶装置であり、
前記表示装置は、
前記外部記憶装置を着脱可能な装着手段と、
前記装着手段に前記外部記憶装置が装着されたか否かを判断する装着判断手段とを備え、
前記タイミング判断手段は、前記装着手段に前記外部記憶装置が装着されたと前記装着判断手段によって判断された場合に、前記未対応データを変換するタイミングであると判断することを特徴とする請求項１又は２に記載の表示装置。
【請求項４】
前記第一記憶装置の特定のフォルダ内に前記未対応データが存在するか否かを判断するデータ判断手段を備え、
前記変換手段は、前記特定のフォルダ内の前記未対応データのみを前記特定のデータ形式の電子ファイルに変換することを特徴とする請求項１乃至３のいずれかに記載の表示装置。
【請求項５】
前記未対応データの前記変換手段による変換が完了したか否かを判断する完了判断手段と、
前記完了判断手段によって変換が完了したと判断された場合に、変換が完了した前記未対応データを前記第一記憶装置から削除する削除手段と
を備えたことを特徴とする請求項１乃至４のいずれかに記載の表示装置。
【請求項６】
前記変換手段による前記未対応データの変換が行われている場合に、前記未対応データの変換中であることをユーザに通知する通知手段と、
前記変換手段による前記未対応データの変換が行われている場合に、ユーザからの操作指示の受付を禁止する禁止手段と
を備えたことを特徴とする請求項１乃至５のいずれかに記載の表示装置。
【請求項７】
前記未対応データ取得手段は、前記変換手段による変換がまだ行われていない前記未対応データが前記第一記憶装置に記憶されている場合に、その前記未対応データから、前記変換手段による変換の対象とする未対応データである変換対象データを順に取得し、
前記変換手段は、前記未対応データ取得手段によって前記変換対象データが取得される毎に、取得された前記変換対象データを順次前記特定のデータ形式の電子ファイルに変換することを特徴とする請求項１乃至６のいずれかに記載の表示装置。
【請求項８】
前記未対応データ取得手段は、
前記変換手段による変換がまだ行われていない前記未対応データのうち、ユーザが登録した日時が最も古い未対応データを前記変換対象データとして取得する第一取得手段を備えたことを特徴とする請求項７に記載の表示装置。
【請求項９】
前記未対応データ取得手段は、
前記変換手段による変換がまだ行われていない前記未対応データのうち、ユーザが登録した日時が最も新しい未対応データを前記変換対象データとして取得する第二取得手段を備えたことを特徴とする請求項７に記載の表示装置。
【請求項１０】
特定のデータ形式の電子ファイルを表示する表示装置において、前記特定のデータ形式とは異なるデータ形式の未対応データを、前記特定のデータ形式の電子ファイルに変換するデータ変換方法であって、
前記未対応データを前記特定のデータ形式の電子ファイルに変換するタイミングであるか否かを判断するタイミング判断ステップと、
前記タイミング判断ステップによって前記タイミングであると判断された場合に、第一記憶装置から前記未対応データを取得する未対応データ取得ステップと、
前記未対応データ取得ステップによって取得された前記未対応データを前記特定のデータ形式の電子ファイルに変換する変換ステップと、
前記変換ステップによって変換された前記特定のデータ形式の電子ファイルを、前記第一記憶装置又は前記第一記憶装置とは異なる第二記憶装置記憶装置に記憶させる変換データ記憶制御ステップと
を備えたことを特徴とするデータ変換方法。
【請求項１１】
特定のデータ形式の電子ファイルを表示する表示装置に用いられ、前記特定のデータ形式とは異なるデータ形式の未対応データを、前記特定のデータ形式の電子ファイルに変換するデータ変換プログラムであって、
コンピュータに、
前記未対応データを前記特定のデータ形式の電子ファイルに変換するタイミングであるか否かを判断するタイミング判断ステップと、
前記タイミング判断ステップによって前記タイミングであると判断された場合に、第一記憶装置から前記未対応データを取得する未対応データ取得ステップと、
前記未対応データ取得ステップによって取得された前記未対応データを前記特定のデータ形式の電子ファイルに変換する変換ステップと、
前記変換ステップによって変換された前記特定のデータ形式の電子ファイルを、前記第一記憶装置又は前記第一記憶装置とは異なる第二記憶装置記憶装置に記憶させる変換データ記憶制御ステップと
を実行させることを特徴とするデータ変換プログラム。
【発明の詳細な説明】
【技術分野】
【０００１】
本発明は、特定のデータ形式の電子ファイルを表示する表示装置、表示装置が行うデータ変換方法、及びデータ変換プログラムに関する。
【背景技術】
【０００２】
従来、特定のデータ形式の電子ファイルを表示する表示装置が知られている。このような表示装置に対して、特定のデータ形式とは異なる他のデータ形式で表された電子ファイルも表示させたいというユーザの要望がある。そこで、パーソナルコンピュータ等の機器で、電子ファイルを特定のデータ形式の電子ファイルに変換し、変換した電子ファイルを表示装置に処理させることが行われている（例えば、特許文献１及び２参照）。
【先行技術文献】
【特許文献】
【０００３】
【特許文献１】特開２００６−６５２０４号公報
【特許文献２】特開２００９−３１８７８号公報
【発明の概要】
【発明が解決しようとする課題】
【０００４】
しかしながら、このような従来の方法によると、特定のデータ形式の電子ファイルへの変換が可能な機器にて特定のデータ形式の電子ファイルに変換しなければ、表示装置は電子ファイルを表示することができない。電子ファイルの変換を表示装置で行う場合、ユーザは、特定のデータ形式の電子ファイルに変換する指示を表示装置に入力しなければならず、面倒であった。また、例えば、外部機器から表示装置への電子ファイルのデータの送信中や、メモリカードの表示装置への接続が不十分な状態である場合等、不適切なタイミングで電子ファイルの変換指示が行われるおそれもあった。
【０００５】
本発明は上記課題を解決するためになされたものであり、外部から入力した電子ファイルを、ユーザからの指示を要することなく、処理に適した特定のデータ形式の電子ファイルに適切に変換することができる表示装置、データ変換方法、及びデータ変換プログラムを提供することを目的とする。
【課題を解決するための手段】
【０００６】
上記目的を達成するために、本発明の請求項１に記載の表示装置は、特定のデータ形式の電子ファイルを表示する表示装置であって、前記特定のデータ形式とは異なるデータ形式の未対応データを、前記特定のデータ形式の電子ファイルに変換するタイミングであるか否かを判断するタイミング判断手段と、前記タイミング判断手段によって前記タイミングであると判断された場合に、第一記憶装置から前記未対応データを取得する未対応データ取得手段と、前記未対応データ取得手段によって取得された前記未対応データを前記特定のデータ形式の電子ファイルに変換する変換手段と、前記変換手段によって変換された前記特定のデータ形式の電子ファイルを、前記第一記憶装置又は前記第一記憶装置とは異なる第二記憶装置に記憶させる変換データ記憶制御手段とを備えている。
【０００７】
本発明の請求項２に記載の表示装置は、請求項１に記載の発明の構成に加え、電子ファイルを送信する外部機器に接続する接続手段と、前記接続手段を介して前記外部機器から受信した電子ファイルを前記第一記憶装置に記憶させる受信データ記憶制御手段と、前記接続手段による接続が遮断されたか否かを判断する遮断判断手段とを備え、前記タイミング判断手段は、前記接続手段による接続が遮断されたと前記遮断判断手段によって判断された場合に、前記未対応データを変換するタイミングであると判断することを特徴とする。
【０００８】
本発明の請求項３に記載の表示装置は、請求項１又は２に記載の発明の構成に加え、前記第一記憶装置は、複数の機器に着脱自在な外部記憶装置であり、前記表示装置は、前記外部記憶装置を着脱可能な装着手段と、前記装着手段に前記外部記憶装置が装着されたか否かを判断する装着判断手段とを備え、前記タイミング判断手段は、前記装着手段に前記外部記憶装置が装着されたと前記装着判断手段によって判断された場合に、前記未対応データを変換するタイミングであると判断することを特徴とする。
【０００９】
本発明の請求項４に記載の表示装置は、請求項１乃至３のいずれかに記載の発明の構成に加え、前記第一記憶装置の特定のフォルダ内に前記未対応データが存在するか否かを判断するデータ判断手段を備え、前記変換手段は、前記特定のフォルダ内の前記未対応データのみを前記特定のデータ形式の電子ファイルに変換することを特徴とする。
【００１０】
本発明の請求項５に記載の表示装置は、請求項１乃至４のいずれかに記載の発明の構成に加え、前記未対応データの前記変換手段による変換が完了したか否かを判断する完了判断手段と、前記完了判断手段によって変換が完了したと判断された場合に、変換が完了した前記未対応データを前記第一記憶装置から削除する削除手段とを備えている。
【００１１】
本発明の請求項６に記載の表示装置は、請求項１乃至５のいずれかに記載の発明の構成に加え、前記変換手段による前記未対応データの変換が行われている場合に、前記未対応データの変換中であることをユーザに通知する通知手段と、前記変換手段による前記未対応データの変換が行われている場合に、ユーザからの操作指示の受付を禁止する禁止手段とを備えている。
【００１２】
本発明の請求項７に記載の表示装置は、請求項１乃至６のいずれかに記載の発明の構成に加え、前記未対応データ取得手段は、前記変換手段による変換がまだ行われていない前記未対応データが前記第一記憶装置に記憶されている場合に、その前記未対応データから、前記変換手段による変換の対象とする未対応データである変換対象データを順に取得し、前記変換手段は、前記未対応データ取得手段によって前記変換対象データが取得される毎に、取得された前記変換対象データを順次前記特定のデータ形式の電子ファイルに変換することを特徴とする。
【００１３】
本発明の請求項８に記載の表示装置は、請求項７に記載の発明の構成に加え、前記未対応データ取得手段は、前記変換手段による変換がまだ行われていない前記未対応データのうち、ユーザが登録した日時が最も古い未対応データを前記変換対象データとして取得する第一取得手段を備えている。
【００１４】
本発明の請求項９に記載の表示装置は、請求項７に記載の発明の構成に加え、前記未対応データ取得手段は、前記変換手段による変換がまだ行われていない前記未対応データのうち、ユーザが登録した日時が最も新しい未対応データを前記変換対象データとして取得する第二取得手段を備えている。
【００１５】
本発明の請求項１０に記載のデータ変換方法は、特定のデータ形式の電子ファイルを表示する表示装置において、前記特定のデータ形式とは異なるデータ形式の未対応データを、前記特定のデータ形式の電子ファイルに変換するデータ変換方法であって、前記未対応データを前記特定のデータ形式の電子ファイルに変換するタイミングであるか否かを判断するタイミング判断ステップと、前記タイミング判断ステップによって前記タイミングであると判断された場合に、第一記憶装置から前記未対応データを取得する未対応データ取得ステップと、前記未対応データ取得ステップによって取得された前記未対応データを前記特定のデータ形式の電子ファイルに変換する変換ステップと、前記変換ステップによって変換された前記特定のデータ形式の電子ファイルを、前記第一記憶装置又は前記第一記憶装置とは異なる第二記憶装置記憶装置に記憶させる変換データ記憶制御ステップとを備えている。
【００１６】
本発明の請求項１１に記載のデータ変換プログラムは、特定のデータ形式の電子ファイルを表示する表示装置に用いられ、前記特定のデータ形式とは異なるデータ形式の未対応データを、前記特定のデータ形式の電子ファイルに変換するデータ変換プログラムであって、コンピュータに、前記未対応データを前記特定のデータ形式の電子ファイルに変換するタイミングであるか否かを判断するタイミング判断ステップと、前記タイミング判断ステップによって前記タイミングであると判断された場合に、第一記憶装置から前記未対応データを取得する未対応データ取得ステップと、前記未対応データ取得ステップによって取得された前記未対応データを前記特定のデータ形式の電子ファイルに変換する変換ステップと、前記変換ステップによって変換された前記特定のデータ形式の電子ファイルを、前記第一記憶装置又は前記第一記憶装置とは異なる第二記憶装置記憶装置に記憶させる変換データ記憶制御ステップとを実行させることを特徴とする。
【発明の効果】
【００１７】
本発明の請求項１に記載の表示装置では、特定のデータ形式とは異なるデータ形式の電子ファイルである未対応データを、特定のデータ形式の電子ファイルに変換するタイミングであるか否かが判断される。変換するタイミングであると判断されると、第一記憶装置から未対応データが取得される。取得された未対応データが、特定のデータ形式の電子ファイルに変換されて、第一記憶装置又は第二記憶装置に記憶される。従って、ユーザがデータ形式の変換指示を行わなくても、表示装置は、外部から入力した電子ファイルを、処理に適した特定のデータ形式の電子ファイルに変換することができる。よって、ユーザに要求する操作を減らすことができる。ユーザは、変換に適したタイミングであるか否かを確認する必要もなく、容易に表示装置で電子ファイルを閲覧することができる。
【００１８】
本発明の請求項２に記載の表示装置は、電子ファイルを送信する外部機器に接続手段によって接続され、外部機器から受信した電子ファイルを第一記憶装置に記憶させる。外部機器との接続が遮断されたと判断された場合に、受信した電子ファイルである未対応データの変換が行われる。従って、請求項１に記載の発明の効果に加え、表示装置は、外部機器からの電子ファイルの受信が完了したタイミングで、受信した電子ファイルの特定のデータ形式への変換を自動的に開始することができる。外部機器との接続が遮断されているため、電子ファイルの受信の途中で変換が開始されることはない。よって、変換の不具合の発生、処理負担の増大等のおそれを低下させることができる。
【００１９】
本発明の請求項３に記載の表示装置は、電子ファイルを記憶する外部記憶装置を装着することができる。外部記憶装置が装着されたと判断された場合に、未対応データの変換が行われる。従って、請求項１又は２に記載の発明の効果に加え、ユーザは、外部記憶装置を表示装置に装着するだけで、変換指示の操作等を行うことなく、表示装置に未対応データを変換させることができる。
【００２０】
本発明の請求項４に記載の表示装置では、第一記憶装置の特定のフォルダ内の未対応データが、変換手段によって変換される。従って、請求項１乃至３のいずれかに記載の発明の効果に加え、表示装置で閲覧したい電子ファイルを特定のフォルダに記憶させることで、ユーザは容易に電子ファイルを表示装置で閲覧することができる。特定のフォルダ以外のフォルダに記憶された電子ファイルはデータ形式が変換されないため、第一記憶装置に記憶された電子ファイル全てが特定のデータ形式の電子ファイルに変換されることを防止することができる。
【００２１】
本発明の請求項５に記載の表示装置は、未対応データの特定のデータ形式への変換が完了すると、変換が完了した基の未対応データを第一記憶装置から削除する。従って、請求項１乃至４のいずれかに記載の発明の効果に加え、未対応データと変換済みの電子ファイルとが並存することがなく、記憶容量が圧迫されることを防ぐことができる。同一の未対応データが無駄に複数回変換されるおそれも防止することができる。
【００２２】
本発明の請求項６に記載の表示装置では、未対応データの変換が行われている場合、未対応データの変換中であることがユーザに通知され、ユーザからの操作指示の受付が禁止される。よって、請求項１乃至５のいずれかに記載の発明の効果に加え、ユーザは、未対応データの変換中であることを容易に把握することができる。表示装置は、未対応データの変換処理をスムーズに行うことができる。
【００２３】
本発明の請求項７に記載の表示装置では、変換を行う対象とする変換対象データが順に取得され、取得された変換対象データから順次特定のデータ形式への変換が行われる。従って、請求項１乃至６のいずれかに記載の発明の効果に加え、表示装置は、複数の未対応データが存在する場合でも、各未対応データを順次変換することができる。
【００２４】
本発明の請求項８に記載の表示装置は、複数の未対応データがある場合、ユーザが登録した日時が最も古い未対応データから順に変換することができる。従って、請求項７に記載の発明の効果に加え、ユーザは変換の進捗状況を容易に把握することができる。
【００２５】
本発明の請求項９に記載の表示装置は、複数の未対応データがある場合、ユーザが登録した日時が最も新しい未対応データから順に変換することができる。従って、請求項７に記載の発明の効果に加え、登録した日時が新しい電子ファイルをすぐにユーザが閲覧したい場合、日時が新しい電子ファイルから優先して変換することができるため、ユーザのニーズを満たすことができる。記憶装置の容量の低下、バッテリ残量の低下等によって、全ての未対応データの変換が実行できない場合でも、ユーザが閲覧を望む電子ファイルを優先して変換することができる。
【００２６】
本発明の請求項１０に記載のデータ変換方法によると、特定のデータ形式とは異なるデータ形式の電子ファイルである未対応データを、特定のデータ形式の電子ファイルに変換するタイミングであるか否かが判断される。変換するタイミングであると判断されると、第一記憶装置から未対応データが取得される。取得された未対応データが、特定のデータ形式の電子ファイルに変換されて、第一記憶装置又は第二記憶装置に記憶される。従って、ユーザがデータ形式の変換指示を行わなくても、表示装置は、外部から入力した電子ファイルを、処理に適した特定のデータ形式の電子ファイルに変換することができる。よって、ユーザに要求する操作を減らすことができる。ユーザは、変換に適したタイミングであるか否かを確認する必要もなく、容易に表示装置で電子ファイルを閲覧することができる。
【００２７】
本発明の請求項１１に記載のデータ変換プログラムによると、特定のデータ形式とは異なるデータ形式の電子ファイルである未対応データを、特定のデータ形式の電子ファイルに変換するタイミングであるか否かが判断される。変換するタイミングであると判断されると、第一記憶装置から未対応データが取得される。取得された未対応データが、特定のデータ形式の電子ファイルに変換されて、第一記憶装置又は第二記憶装置に記憶される。従って、ユーザがデータ形式の変換指示を行わなくても、表示装置は、外部から入力した電子ファイルを、処理に適した特定のデータ形式の電子ファイルに変換することができる。よって、ユーザに要求する操作を減らすことができる。ユーザは、変換に適したタイミングであるか否かを確認する必要もなく、容易に表示装置で電子ファイルを閲覧することができる。
【図面の簡単な説明】
【００２８】
【図１】携帯端末１および複合機２が接続されたシステム構成図である。
【図２】携帯端末１の電気的構成を示すブロック図である。
【図３】携帯端末１が行う変換対象データ設定処理のフローチャートである。
【図４】携帯端末１が行うメイン処理を示すフローチャートである。
【図５】変換中画面３１が表示された携帯端末１の正面図である。
【図６】データ変換処理を示すフローチャートである。
【図７】変換対象選択処理を示すフローチャートである。
【図８】メモリフル処理を示すフローチャートである。
【図９】メモリフル画面３２が表示された携帯端末１の正面図である。
【発明を実施するための形態】
【００２９】
以下、本発明を具体化した実施の形態について、図面を参照して説明する。尚、参照する図面は、本発明が採用し得る技術的特徴を説明するために用いられるものであり、記載されている装置の構成、各種処理のフローチャート等は、それのみに限定する趣旨ではなく、単なる説明例である。
【００３０】
本発明の一実施の形態に係る携帯端末１について、図１乃至図９を参照して説明する。携帯端末１は、画像を表示する表示装置であり、印刷装置、通信装置、電話機、ファクシミリ、スキャナ、及びコピー機としての機能を有する複合機２に、ＵＳＢ（Ｕｎｉｖｅｒｓａｌ  Ｓｅｒｉａｌ  Ｂｕｓ）ケーブル９を介して接続される。以下、複合機２から出力される電子ファイル、又は、メモリカード３０（図２参照）に記憶された電子ファイルに基づいて、携帯端末１にて画像表示が行われる場合を例示する。尚、画像とは、テキスト、記号、写真、図表等の様々なコンテンツの画像を含む。また、本実施の形態の電子ファイルは、複数ページで構成されるドキュメントを示すファイルデータであり、そのドキュメントを構成するページ数分の画像データ（つまり、ページ単位の画像を示す画像データ）によって構成されるものとする。
【００３１】
まず、図１を参照して、携帯端末１の物理的構成について説明する。携帯端末１は、電気泳動方式の表示パネル３を備えた軽量・薄型の携帯表示端末である。表示パネル３としては、電気泳動方式の表示パネルの他、軽量・薄型の反射型液晶等を適用可能である。電気泳動方式の表示パネルは、プラスに帯電した白の電気泳動粒子と、マイナスに帯電した黒の電気泳動粒子とを、電気泳動によって表示液中を移動させて、画像を白黒で形成する。
【００３２】
携帯端末１は、所定厚を有する平面視長方形状の板状に形成され、その上面に平面視長方形状の表示パネル３が形成されている。表示パネル３には、テキスト、図表等から構成される種々のコンテンツが表示される。これらのコンテンツは、表示パネル３の表示面からユーザが視認可能となる。また、図示しないが、携帯端末１の側面には、メモリカード３０（図２参照）を挿入するためのカードスロット、ＵＳＢケーブル９が有するＵＳＢコネクタが着脱されるＵＳＢポート等が設けられている。
【００３３】
表示パネル３の右側には、携帯端末１を操作するための操作部６が設けられている。操作部６は、電源キー６１、メニューキー６２、ドキュメント閉キー６３、拡大キー６４、ページ戻しキー６５、ページ送りキー６６、キャラクタキー６７を有している（図５及び図９参照）。電源キー６１は、携帯端末１の電源をオン・オフするためのキーである。メニューキー６２は、ドキュメント選択や携帯端末１の機能設定等を行うためのメニュー画面を表示させるキーである。ドキュメント閉キー６３は、表示中の電子ファイルを閉じるためのキーである。拡大キー６４は、表示中の電子ファイルを拡大するためのキーである。ページ戻しキー６５及びページ送りキー６６は、それぞれ表示中の電子ファイルをページ戻し及びページ送りするためのキーである。キャラクタキー６７は、各種情報の選択や入力を行うためのキーである。尚、電源キー６１の上側には、携帯端末１の作動状態をＬＥＤの発光パターン（発光色、点灯、点滅等）で示すＬＥＤ表示部７（図５及び図９参照）が設けられている。
【００３４】
次に、図２を参照して、携帯端末１の電気的構成について説明する。携帯端末１の制御基板１０は、ＣＰＵ１１、ＲＯＭ１２、ＲＡＭ１３、ＥＥＰＲＯＭ１４、表示コントローラ１５、キーコントローラ１６、メモリカードインタフェース（Ｉ／Ｆ）１７、ＵＳＢＩ／Ｆ１８、電源コントローラ１９を有しており、これらの構成がバス８を介して接続されている。ＣＰＵ１１は、携帯端末１の制御を司る。ＲＯＭ１２は、携帯端末１を動作させる制御プログラムや、携帯端末１の動作に関わる設定情報を記憶する。ＲＡＭ１３は、各種データを一時的に記憶するメモリである。ＥＥＰＲＯＭ１４は、各種データを記憶する不揮発性メモリである。
【００３５】
表示コントローラ１５は、表示パネル３での画像表示を制御する。キーコントローラ１６は、操作部６でのキー操作を受け付ける。メモリカードＩ／Ｆ１７は、カードスロットに挿入されたメモリカード３０に接続し、そのメモリカード３０に対するデータの読み出し・書き込みを行う。ＵＳＢＩ／Ｆ１８は、先述のＵＳＢポートを有し、ＵＳＢケーブル９を介して外部機器（ここでは、複合機２）との間でデータ送受を行う。電源コントローラ１９は、携帯端末１に内蔵されて電源を供給するバッテリ８０の充放電を制御したり、バッテリ８０の電池残量及び電圧低下を検知したり、携帯端末１に供給する電圧を制御したりする。
【００３６】
本実施の形態の携帯端末１では、携帯端末１自体に電子ファイルを保存することはなく、メモリカード３０に記憶されている電子ファイル（詳細には、電子ファイルに含まれるページ単位の画像データ）に基づいて、表示パネル３に画像表示が行われる。メモリカード３０には、以下に例示するような態様で、複合機２から出力された画像ファイルが記憶されればよい。
【００３７】
例えば、複合機２のカードスロット（図示外）にメモリカード３０を挿入させておき、複合機２で紙媒体の画像読み取り（スキャン）等によって電子ファイルが取得された場合に、その電子ファイルをメモリカード３０に書き込ませる。そして、電子ファイルが記憶されたメモリカード３０を、複合機２から取り外して携帯端末１のカードスロットに挿入すればよい。これにより、携帯端末１では、メモリカード３０に書き込まれた電子ファイルを読み出して画像表示を行うことができる。
【００３８】
また、複合機２で紙媒体の画像読み取り等によって電子ファイルが取得された場合に、その電子ファイルをＵＳＢケーブル９経由で複合機２から携帯端末１に転送させ、携帯端末１に挿入されているメモリカード３０に直接書き込ませてもよい。このような電子ファイルの転送・書き込みは、複合機２が備える公知のスキャントゥメモリと呼ばれる機能（例えば、特開２００８−１８７４９５号公報を参照）等によって実現されればよい。本実施の形態では、複合機２がスキャントゥメモリ機能を備えている。携帯端末１は、公知のＵＳＢマスストレージ機能を用いて、ＵＳＢＩ／Ｆ１８を介して直接電子ファイルをメモリカード３０に書き込ませることができる。この場合も、携帯端末１では、メモリカード３０に書き込まれた電子ファイルを読み出して画像表示を行うことができる。
【００３９】
尚、メモリカード３０は、携帯端末１での画像表示に用いられる電子ファイルのみならず、各種データを携行可能な汎用的な記録媒体である。そのため、複合機２からメモリカード３０に電子ファイルが出力される場合、電子ファイルはメモリカード３０の特定フォルダ内に記憶されるものとする。これにより、メモリカード３０に記憶されているデータのうちで、携帯端末１での画像表示に用いられる電子ファイルを、他のデータと明確に区別することができる。
【００４０】
ただし、複合機２で取得される電子ファイルは、通常は、多くの電子機器で閲覧表示できるような汎用的なデータ形式（例えば、ＰＤＦ、ＪＰＥＧ等）で作成される。一方、本実施の形態の携帯端末１では、電気泳動方式での表示制御等が行われる携帯端末１に好適なデータ形式（以下、「特定のデータ形式」という。）の電子ファイルに基づいて画像表示が行われる。そのため、メモリカード３０に記憶されている電子ファイルが、特定のデータ形式と異なる他のデータ形式の電子ファイル（以下、「未対応データ」という。）である場合には、携帯端末１は、未対応データを特定のデータ形式の電子ファイルに変換する。この詳細は後述する。
【００４１】
また、本実施の形態では、メモリカード３０に複数の未対応データが記憶されている場合、未対応データが１つずつ選択されて、特定のデータ形式の電子ファイルに順次変換される。ＥＥＰＲＯＭ１４には、複数の未対応データのうち、データ形式を変換する対象とする未対応データ（以下、「変換対象データ」という。）を選択する優先順序を示す情報である変換対象データ設定が記憶されている。本実施の形態では、変換対象データ設定として、「メモリ優先」、「バッテリ優先」、「進捗優先」、「日時優先」の４つの設定があらかじめ用意されているが、これらの詳細は別途後述する。
【００４２】
以下、携帯端末１にて実行される各種処理について説明する。以下説明する変換対象データ設定処理、及びメイン処理は、ＲＯＭ１２に記憶されている制御プログラムに基づいて、ＣＰＵ１１によって実行される。
【００４３】
まず、図３を参照して、携帯端末１にて実行される変換対象データ設定処理について説明する。変換対象データ設定処理は、未対応データを変換する優先順序をユーザが設定するための処理である。メニュー画面の表示中に操作部６が押下され、「変換対象データ設定」のメニューが選択されると、ＣＰＵ１１は、図３に示す変換対象データ設定処理を実行する。
【００４４】
変換対象データ設定処理では、まず、「メモリ優先」、「バッテリ優先」、「進捗優先」、「日時優先」の４つの設定候補が表示パネル３に表示される（Ｓ１）。「メモリ優先」は、メモリカード３０の残り記憶容量が少ない場合等に、ユーザがなるべく多くの電子ファイルを変換させるために選択される。「バッテリ優先」は、バッテリ８０の電池残量が僅かである場合等に、ユーザがなるべく多くの電子ファイルを変換させるために選択される。「進捗優先」は、電子ファイルの変換の進捗状況をユーザが容易に把握したい場合に選択される。「日時優先」は、登録された日時が新しい電子ファイルをすぐにユーザが閲覧したい場合に選択される。
【００４５】
操作部６が操作されて、４つの選択候補のうちの１つがユーザによって選択されると、選択された設定値がＥＥＰＲＯＭ１４に記憶される（Ｓ２）。記憶された設定値は、複数の未対応データから変換対象データが選択される際に参照されるが、詳細は後述する。
【００４６】
次に、図４乃至図９を参照して、携帯端末１にて実行されるメイン処理について説明する。電源キー６１がオンされると、ＣＰＵ１１は、ＲＯＭ１２に記憶されている制御プログラムに基づいて、図４に示すメイン処理を実行する。
【００４７】
図４に示すように、メイン処理が開始されると、携帯端末１からＵＳＢケーブル９が抜かれたか否かが判断される（Ｓ１１）。ＵＳＢＩ／Ｆ１８にＵＳＢケーブル９が接続されている場合に、そのＵＳＢケーブル９が接続されていない状態に変化したことが検出されると、携帯端末１からＵＳＢケーブル９が抜かれたと判断される（Ｓ１１：ＹＥＳ）。一方、ＵＳＢＩ／Ｆ１８にＵＳＢケーブル９が接続されていない場合、又は、ＵＳＢケーブル９が接続されている状態に変化がない場合は、携帯端末１からＵＳＢケーブル９が抜かれなかったと判断される（Ｓ１１：ＮＯ）。
【００４８】
携帯端末１からＵＳＢケーブル９が抜かれなかった場合（Ｓ１１：ＮＯ）、携帯端末１にメモリカード３０が新たに挿入されたか否かが判断される（Ｓ１２）。メモリカードＩ／Ｆ１７にメモリカード３０が接続されていない場合に、メモリカード３０が接続された状態に変化したことが検出されると、携帯端末１にメモリカード３０が挿入されたと判断される（Ｓ１２：ＹＥＳ）。一方、メモリカードＩ／Ｆ１７にメモリカード３０が接続されている場合、又は、メモリカード３０が接続されていない状態に変化がない場合は、携帯端末１にメモリカード３０が挿入されなかったと判断される（Ｓ１２：ＮＯ）。
【００４９】
携帯端末１からＵＳＢケーブル９が抜かれた場合は（Ｓ１１：ＹＥＳ）、ＵＳＢケーブル９を介した電子ファイルの転送・書き込みが行われた可能性がある。また、携帯端末１にメモリカード３０が挿入された場合は（Ｓ１２：ＹＥＳ）、挿入されたメモリカード３０にあらかじめ電子ファイルが書き込まれている可能性がある。先述したように、携帯端末１での画像表示に用いられる電子ファイルは、メモリカード３０の特定フォルダ内に格納される。そこで、メモリカードＩ／Ｆ１７に接続されているメモリカード３０の記憶領域に特定フォルダがあるか否かが判断される（Ｓ１４）。メモリカード３０に特定フォルダがある場合は（Ｓ１４：ＹＥＳ）、特定フォルダ内に電子ファイルが格納されているか否かが判断される（Ｓ１５）。
【００５０】
特定フォルダ内に電子ファイルが格納されている場合は（Ｓ１５：ＹＥＳ）、図５に例示するような変換中画面３１が表示パネル３に表示される（Ｓ１６）。図５に示すように、変換中画面３１では、ファイルのデータ形式が変換中である旨が明示される。また、ＬＥＤ表示部７がデータ変換中に対応する特定パターンに発光制御され、操作部６でのキー操作が無効化される。
【００５１】
本実施の形態では、所定の実行タイミング（ここでは、ＵＳＢケーブル９の抜脱あり、又は、メモリカード３０の挿入あり）が検出されると、ユーザによる入力指示を要することなく、後述のように電子ファイルのデータ変換が内部的に実行される。そのため、データ変換の実行中にユーザが各種操作を行うと、電子ファイルの破損や携帯端末１の不具合等を生じるおそれがある。その点、データ変換の実行に際して変換中画面３１を表示し、ＬＥＤ表示部７を特定パターンで発光させることで、データ変換中である旨をユーザに認識させることができる。また、操作部６でのキー操作を無効化することで、データ変換中におけるユーザの誤操作を防止できる。
【００５２】
尚、携帯端末１にメモリカード３０が挿入されなかった場合は（Ｓ１２：ＮＯ）、処理はＳ１１に戻り、ＵＳＢケーブル９の抜脱又はメモリカード３０の挿入が待ち受けられる（Ｓ１１〜Ｓ１２）。また、メモリカード３０に特定フォルダがない場合（１４：ＮＯ）、及び、特定フォルダに電子ファイルが格納されていない場合も（Ｓ１５：ＮＯ）、同様に、処理はＳ１１に戻る。
【００５３】
Ｓ１６にて変換中画面が表示されたのち、バッテリ８０の電池残量があるか否かが判断される（Ｓ１７）この判断は、電源コントローラ１９によって検出されるバッテリ８０の電圧が所定のしきい値以上であるか否かによって判断される。本実施の形態では、ページ数が２００ページの電子ファイルを変換できる電圧を基準に、しきい値が設定されている。バッテリ８０の電圧がしきい値未満であり、電池残量がないと判断された場合には（Ｓ１７：ＮＯ）、「バッテリが不足しています」というメッセージであるバッテリ不足画面が表示パネル３に表示されて（Ｓ１８）、処理はＳ１１へ戻る。
【００５４】
バッテリ８０の電圧がしきい値以上であり、電池残量があると判断された場合には（Ｓ１７：ＹＥＳ）、特定フォルダ内に変換可能な電子ファイルがあるか否かが判断される（Ｓ２０）。Ｓ２０では、特定フォルダ内に記憶されている電子ファイルのうちで、特定のデータ形式に変換可能な汎用的なデータ形式（ここでは、ＰＤＦ又はＪＰＥＧ）の電子ファイルである未対応データがあるか否かによって、変換可能な電子ファイルがあるか否かが判断される。変換可能な電子ファイルがなければ（Ｓ２０：ＮＯ）、「変換できるファイルがありません」というメッセージである変換不可画面が表示パネル３に表示されて（Ｓ２１）、処理はＳ２８へ移行する。
【００５５】
変換可能な電子ファイルがある場合（Ｓ２０：ＹＥＳ）、その電子ファイルである未対応データを特定のデータ形式の電子ファイルに変換するデータ変換処理が実行される（Ｓ２３）。
【００５６】
図６に示すように、データ変換処理が開始されると、特定フォルダ内に記憶されている未対応データのうち、データ変換の対象となる未対応データ（以下、「変換対象データ」という。）を１つ選択してＲＡＭ１３に取得する変換対象選択処理が実行される（Ｓ３１）。
【００５７】
図７に示すように、変換対象選択処理では、まず、ＥＥＰＲＯＭ１４に記憶されている変換対象データ設定が「メモリ優先」であるか否かが判断される（Ｓ４１）。「メモリ優先」に設定されている場合には（Ｓ４１：ＹＥＳ）、未選択の未対応データのうちでファイルサイズが最も大きいものが変換対象データに選択される（Ｓ４２）。未選択の未対応データとは、特定フォルダ内に電子ファイルが複数格納されている場合に、変換対象選択処理にて未だ変換対象データとして選択されていない未対応データをいう。データ変換を行う場合、メモリカード３０内では、変換の基となる未対応データと、変換済みの画像ファイルとが並存することとなる。よって、未対応データのファイルサイズが大きい程、メモリカード３０に必要な空き容量も大きくなる。本実施の形態では、「メモリ優先」の場合、ファイルサイズが大きいものから優先して変換することで、メモリカード３０の空き容量が少ない場合でも可能な限り多くの未対応データを変換することができる。
【００５８】
変換対象データ設定が「メモリ優先」でなければ（Ｓ４１：ＮＯ）、「バッテリ優先」であるか否かが判断される（Ｓ４３）。「バッテリ優先」に設定されている場合には（Ｓ４３：ＹＥＳ）、未選択の未対応データのうちでファイルサイズが最も小さいものが変換対象データに選択される（Ｓ４４）。従って、バッテリ８０の電池残量が少なく、変換の途中でバッテリ切れを起こすような場合でも、可能な限り多くの未対応データを変換することができる。
【００５９】
変換対象データ設定が「バッテリ優先」でなければ（Ｓ４３：ＮＯ）、「進捗優先」であるか否かが判断される（Ｓ４５）。「進捗優先」に設定されている場合には（Ｓ４５：ＹＥＳ）、未選択の未対応データのうち、ユーザがデータに登録した登録日時が最も古いものが変換対象データに選択される（Ｓ４６）。未対応データが登録日時順に変換されるので、ユーザは変換の進捗状況を容易に把握することができる。
【００６０】
変換対象データ設定が「進捗優先」でなければ（Ｓ４５：ＮＯ）、設定されている変換対象データ設定は「日時優先」である。この場合、未選択の未対応データのうち、ユーザがデータに登録した登録日時が最も新しいものが変換対象データに選択される（Ｓ４７）。従って、登録した日時が新しい電子ファイルをすぐにユーザが閲覧したい場合、日時が新しい電子ファイルから優先して変換することができるため、ユーザのニーズを満たすことができる。
【００６１】
尚、Ｓ４２、Ｓ４４、Ｓ４６、Ｓ４７で選択された変換対象データは、メモリカード３０からＲＡＭ１３に読み込まれる。その後、処理はデータ変換処理へ戻る。
【００６２】
図６に戻り、変換対象選択処理（Ｓ３１）にて変換対象データが選択されると、その変換対象データを特定のデータ形式の電子ファイルに変換した場合の予測ファイルサイズが計算される（Ｓ３２）。Ｓ３２では、例えば、変換対象データのデータ量に、その変換対象データのデータ形式を特定のデータ形式に変換したときのデータサイズの変換率を乗じて算出されればよい。本実施の形態では、変換対象データにページ単位の画像データが含まれているため、この画像データの数量（つまり、ドキュメントのページ数）にデータサイズの変換率を乗じて算出される。データサイズの変換率は、他のデータ形式毎に、特定のデータ形式に変換した場合の平均的なファイルサイズの増加率又は減少率をあらかじめ実験や計算等で求めておけばよい。具体的には、本実施の形態では、ＪＰＥＧ形式の電子ファイルを特定のデータ形式の電子ファイルに変換する場合のデータサイズの変換率は「７０％」、ＰＤＦ形式の電子ファイルを特定のデータ形式の電子ファイルに変換する場合のデータサイズの変換率は「８５％」とする。
【００６３】
次いで、Ｓ３２で算出された予測ファイルサイズが、メモリカード３０の空き容量以下であるか否かが判断される（Ｓ３３）。予測ファイルサイズがメモリカード３０の空き容量以下であれば（Ｓ３３：ＹＥＳ）、変換対象データを他のデータ形式の電子ファイルに変換した場合に、その変換済みの電子ファイルをメモリカード３０に書き込んでも空き容量不足が発生しないと予測される。そのため、ＲＡＭ１３に記憶されている変換対象データに含まれる１ページ分の画像データが、ＲＡＭ１３上で特定のデータ形式に変換される（Ｓ３４）。そして、変換された画像データが、メモリカード３０の保存用フォルダに格納されるように空き領域に書き込まれると共に、その変換済みの画像データをメモリカード３０に書き込めたか否かが判断される（Ｓ３５）。
【００６４】
変換済みの画像データをメモリカード３０に書き込めた場合（Ｓ３５：ＹＥＳ）、変換対象データに含まれる全ページの画像データを変換したか否かが判断される（Ｓ３６）。変換対象データに含まれる画像データのうちで未変換のものがある場合は（Ｓ３６：ＮＯ）、処理はＳ３４に戻り、次ページに相当する画像データが上記と同様に他のデータ形式に変換される。これにより、後述のメモリカード３０に書き込みできない状態（Ｓ３５：ＮＯ）にならない限り、Ｓ３４〜Ｓ３６の処理が繰り返し実行されて、変換対象データに含まれる画像データがページ毎に順次変換される。
【００６５】
変換対象データに含まれる全ページの画像データが変換された場合には（Ｓ３６：ＹＥＳ）、これらの変換済みの画像データによって構成される変換済みの電子ファイルが、メモリカード３０の保存用フォルダに格納された状態となる。そして、メモリカード３０の特定フォルダに格納されている変換元の未対応データ（つまり、変換対象データ）が削除されて（Ｓ３８）、メイン処理（図４参照）に戻る。これにより、データ形式が異なる同一の電子ファイルがメモリカード３０内に重複記憶されないようにして、メモリカード３０の空き容量を確保することができる。さらに、特定フォルダ内の未対応データが何度も変換される不具合を防止できる。
【００６６】
一方、予測ファイルサイズがメモリカード３０の空き容量よりも大きい場合（Ｓ３３：ＮＯ）、変換済みの電子ファイルをメモリカード３０に書き込んだ場合に空き容量不足が発生すると予想される。また、予測ファイルサイズがメモリカード３０の空き容量以下であっても（Ｓ３３：ＹＥＳ）、ページ単位でデータ変換を実行していく過程で、変換済みの画像データの総データサイズが予測ファイルサイズよりも大きくなり、メモリカード３０の空き容量が不足して変換済みの画像データを書き込めない場合がある（Ｓ３５：ＮＯ）。これらの場合は、以下のメモリフル処理が実行される（Ｓ３９）。
【００６７】
図８に示すように、メモリフル処理では、まず、変換途中の電子ファイルがあるか否かが判断される（Ｓ５１）。具体的には、予測ファイルサイズがメモリカード３０の空き容量以下である場合はデータ変換（Ｓ３４）が行われないため、変換途中の電子ファイルは存在しない（Ｓ５１：ＮＯ）。一方、変換済みの画像データを書き込めない場合には、変換対象データに含まれる画像データの一部が変換済みであるため、変換途中の電子ファイルが存在する（Ｓ５１：ＹＥＳ）。この場合、変換途中の電子ファイル（つまり、変換済みの画像データ）がメモリカード３０の保存用フォルダから削除される（Ｓ５２）。これにより、メモリカード３０に不完全な変換済み電子ファイルが保存されることを防止して、メモリカード３０の空き容量を確保することができる。尚、メモリカード３０の特定フォルダに格納されている変換元の電子ファイル（未対応データ）は削除されない。よって、メモリカード３０の空き容量を確保したのちに、再度同一の未対応データをデータ変換することができる。
【００６８】
変換途中の電子ファイルがない場合（Ｓ５１：ＮＯ）、又は、変換途中の電子ファイルを削除した場合（Ｓ５２）、ＥＥＰＲＯＭ１４を参照して、変換対象データ設定が「メモリ優先」であるか否かが判断される（Ｓ５３）。「メモリ優先」であれば（Ｓ５３：ＹＥＳ）、未選択の未対応データが特定フォルダ内に存在しないか否かが判断される（Ｓ５４）。未選択の未対応データが存在する場合（Ｓ５４：ＮＯ）、ＲＡＭ１３の所定記憶エリアに「空き容量あり」が設定される（Ｓ５５）。
【００６９】
先述したように、変換対象データ設定が「メモリ優先」である場合はファイルサイズが大きい順に変換対象データが選択されるので、次に選択される変換対象データは現在の変換対象データよりもファイルサイズが小さくなる。そのため、メモリカード３０の空き容量が、現在の変換対象データに基づく変換済みの電子ファイルを書き込むのに不足している場合でも、次の変換対象データに基づく変換済みの電子ファイルの書き込みには足りる可能性がある。そこで、変換対象データ設定が「メモリ優先」であり、且つ、未選択の未対応データが存在する場合には、Ｓ５５で「空き容量あり」を設定することで、後述するように次の変換対象データの変換が実行されるようにしている。
【００７０】
一方、変換対象データ設定が「バッテリ優先」、「進捗優先」、「日時優先」のいずれかであれば（Ｓ５３：ＮＯ）、ＲＡＭ１３の所定記憶エリアに「空き容量なし」が設定される（Ｓ５６）。すなわち、変換対象データ設定が「メモリ優先」でない場合は、次の変換対象データは現在の変換対象データよりもファイルサイズが小さくなるとは限らないため、「空き容量なし」を設定することで、後述するようにデータ変換が中止されるようにしている。また、未選択の未対応データが存在しない場合は（Ｓ５４：ＹＥＳ）、変換対象データ設定が「メモリ優先」であっても次の変換対象データが存在しないため、上記と同様にＲＡＭ１３の所定記憶エリアに「空き容量なし」が設定される（Ｓ５６）。「空き容量あり」又は「空き容量なし」が設定されると（Ｓ５５、Ｓ５６）、処理はデータ変換処理（図６参照）へ戻り、さらにメイン処理（図４参照）へ戻る。
【００７１】
図４に戻り、データ変換処理（Ｓ２３）が終了すると、ＲＡＭ１３の所定記憶エリアが参照されて、メモリカード３０に空き容量があるか否かが判断される（Ｓ２４）。ＲＡＭ１３の所定記憶エリアに「空き容量あり」が設定されている場合（Ｓ２４：ＹＥＳ）、メモリカード３０の特定フォルダ内に電子ファイルが格納されていないか否かが判断される（Ｓ２７）。特定フォルダ内に電子ファイルが格納されていない場合（Ｓ２７：ＹＥＳ）、特定フォルダ内に格納されていた電子ファイルに対してデータ変換が行われたと判断される。そこで、メモリカード３０の保存用フォルダに格納されている変換済みの電子ファイルを選択可能に一覧表示するフォルダ表示画面が、表示パネル３に表示される（Ｓ２８）。ユーザは、フォルダ表示画面において、例えばキャラクタキー６７を操作して任意の変換済みの電子ファイルを選択することで、選択した電子ファイルに基づくドキュメントを閲覧することができる。
【００７２】
一方、特定フォルダ内に電子ファイルが格納されている場合（Ｓ２７：ＮＯ）、処理はＳ２０に戻り、特定フォルダ内に変換可能な電子ファイル（未対応データ）があるか否かが判断される。そして、先述と同様に、未対応データがあればデータ変換処理が実行される（Ｓ２０：ＹＥＳ、Ｓ２３）。特定フォルダ内の未対応データの全てが変換されるか（Ｓ２０：ＮＯ、若しくはＳ２７：ＹＥＳ）、若しくは、メモリカード３０に空き容量がないと判断されるまで（Ｓ２４：ＮＯ）、上記の処理が繰り返し行われる。
【００７３】
尚、特定フォルダ内に変換可能なファイル（未対応データ）がない場合は（Ｓ２０：ＮＯ）、データ変換を実行できない旨を示す変換不可画面が表示されて（Ｓ２１）、先述のフォルダ表示画面が表示される（Ｓ２８）。これにより、特定フォルダ内に格納された電子ファイルのうち、変換可能な未対応データのみが特定のデータ形式の電子ファイルに変換されて、変換済みの電子データが一覧表示される。
【００７４】
また、ＲＡＭ１３の所定記憶エリアに「空き容量なし」が設定されている場合は（Ｓ２４：ＮＯ）、図９に例示するようなメモリフル画面３２が表示パネル３に表示されたのち（Ｓ２５）、先述のフォルダ表示画面が表示される（Ｓ２８）。図９に示すように、メモリフル画面３２では、メモリカード３０に変換済みの電子ファイルを格納するための空き容量がない旨が明示される。Ｓ２８にてフォルダ表示画面が表示されると、ＬＥＤ表示部７が通常パターン（ここでは、非点灯状態）に表示制御され、操作部６でのキー操作が有効化されて、処理はＳ１１に戻る。そして、携帯端末１の電源がオフとされるまで、所定の実行タイミング（つまり、ＵＳＢケーブル９の抜脱あり、又は、メモリカード３０の挿入あり）が検出される毎に（Ｓ１１：ＹＥＳ、又はＳ１２：ＹＥＳ）、データ変換が実行される（Ｓ１４〜Ｓ２８）。
【００７５】
以上説明したように、本実施の形態の携帯端末１では、未対応データを特定のデータ形式の電子ファイルに変換するタイミングであるか否かが判断される。変換するタイミングであると判断されると、メモリカード３０から未対応データがＲＡＭ１３に取得される。取得された未対応データが、特定のデータ形式の電子ファイルに変換されて、メモリカード３０に記憶される。従って、ユーザがデータ形式の変換指示を行わなくても、携帯端末１は、外部から入力した電子ファイルを、処理に適した特定のデータ形式の電子ファイルに変換することができる。よって、ユーザに要求する操作を減らすことができる。ユーザは、変換に適したタイミングであるかを確認する必要もなく、容易に表示装置で電子ファイルを閲覧することができる。
【００７６】
詳細には、携帯端末１は、電子ファイルを送信する複合機２にＵＳＢケーブル９によって接続され、ＵＳＢケーブル９から受信した電子ファイルをメモリカード３０に記憶させる。携帯端末１は、ＵＳＢケーブル９が抜脱されることで複合機２との接続が遮断されたと判断し、未対応データを変換するタイミングであると判断して、データ変換を開始する。従って、携帯端末１は、複合機２等の外部機器からの電子ファイルの受信が完了したタイミングで、受信した電子ファイルの特定のデータ形式への変換を開始することができる。外部機器との接続が遮断されているため、電子ファイルの受信の途中で変換が開始されることはない。よって、変換の不具合の発生、処理負担の増大等のおそれを低下させることができる。
【００７７】
また、携帯端末１は、電子ファイルを記憶するメモリカード３０を装着することができる。メモリカード３０が装着されたと判断した場合に、未対応データを変換するタイミングであると判断して、未対応データの変換を開始する。従って、ユーザは、メモリカード３０を携帯端末１に装着するだけで、変換指示の操作等を行うことなく、携帯端末１に未対応データを変換させることができる。
【００７８】
携帯端末１は、メモリカード３０の特定フォルダ内の未対応データのみを、特定のデータ形式の電子ファイルに変換する。従って、携帯端末１で閲覧したい電子ファイルを特定フォルダ内に記憶させることで、ユーザは容易に電子ファイルを携帯端末１で閲覧することができる。特定フォルダ以外のフォルダに電子ファイルを記憶させれば、データ形式の変換を実行させずにメモリカード３０に電子ファイルを保存することができる。
【００７９】
携帯端末１は、１つの未対応データの特定のデータ形式への変換が完了すると、変換が完了した基の未対応データをメモリカード３０から削除する。従って、未対応データと変換済みの電子ファイルとがメモリカード３０で並存することがなく、記憶容量が圧迫されることを防ぐことができる。同一の未対応データが無駄に複数回変換されるおそれも防止することができる。
【００８０】
携帯端末１は、未対応データの変換が行われている場合、データ変換中であることをユーザに通知し、ユーザからの操作指示の受付を禁止する。よって、ユーザは、未対応データの変換中であることを容易に把握することができる。携帯端末１は、未対応データの変換をスムーズに行うことができる。
【００８１】
携帯端末１によると、複数の未対応データがメモリカード３０に記憶されている場合、ユーザは、変換対象データ設定処理で所望の設定を行うことで、所望する順序で未対応データの変換を実行させることができる。具体的には、ユーザは、「メモリ優先」を設定することで、メモリカード３０の残り容量が少ない場合でも、可能な限り多くの未対応データを変換させることができる。「バッテリ優先」を設定することで、バッテリ８０の電池残量が少ない場合でも、可能な限り多くの未対応データを変換することができる。「進捗優先」を設定することで、未対応データに付されている登録日時順に変換を実行させて、変換の進捗状況を容易に把握することができる。「日時優先」を設定することで、登録日時が新しい電子ファイルをすぐに閲覧したい場合に、閲覧を望む電子ファイルを優先して変換させることができる。
【００８２】
尚、上記実施形態において、携帯端末１が本発明の「表示装置」に相当する。メモリカード３０が本発明の「第一記憶装置」、「第二記憶装置」、及び「外部記憶装置」に相当する。図４のＳ１１でＵＳＢケーブル９の抜脱があったか否かを判断するＣＰＵ１１、及び、図４のＳ１２でメモリカード３０の挿入があったか否かを判断するＣＰＵ１１が「タイミング判断手段」として機能する。図７に示す変換対象選択処理で、変換対象データを選択してＲＡＭ１３に記憶させるＣＰＵ１１が「未対応データ取得手段」として機能する。図６のＳ３４で、変換対象データを特定のデータ形式の電子ファイルに変換するＣＰＵ１１が「変換手段」として機能する。図６のＳ３４で、変換した特定のデータ形式の電子ファイルをメモリカード３０に記憶させるＣＰＵ１１が「変換データ記憶制御手段」として機能する。
【００８３】
ＵＳＢケーブル９を介して複合機２に接続し、複合機２から受信した電子ファイルをメモリカード３０に記憶させるＵＳＢＩ／Ｆ１８が、本発明の「接続手段」及び「受信データ記憶制御手段」に相当する。図４のＳ１１で、ＵＳＢケーブル９が抜脱されたか否かによって複合機２との接続が遮断されたか否かを判断するＣＰＵ１１が「遮断判断手段」として機能する。メモリカードＩ／Ｆ１７が「装着手段」に相当する。図４のＳ１２でメモリカード３０が挿入されたか否かを判断するＣＰＵ１１が「装着判断手段」として機能する。図４のＳ１４、Ｓ１５、Ｓ２０で、特定フォルダ内に未対応データが存在するか否かを判断するＣＰＵ１１が「データ判断手段」として機能する。図６のＳ３６で、１つの未対応データの変換が完了したか否かを判断するＣＰＵ１１が「完了判断手段」として機能する。図６のＳ３８で、変換が完了した未対応データをメモリカード３０から削除するＣＰＵ１１が「削除手段」として機能する。図４のＳ１６で変換中画面を表示させて操作部６の操作の受付を禁止するＣＰＵ１１が「通知手段」及び「禁止手段」として機能する。図７のＳ４６で、登録日時が最も古い未対応データを取得するＣＰＵ１１が「第一取得手段」として機能する。図７のＳ４７で、登録日時が最も新しい未対応データを取得するＣＰＵ１１が「第二取得手段」として機能する。
【００８４】
また、図４のＳ１１、Ｓ１２の処理が、本発明の「タイミング判断ステップ」に相当する。図７に示す変換対象選択処理が「未対応データ取得ステップ」に相当する。図６のＳ３４の処理が「変換ステップ」及び「変換データ記憶制御ステップ」に相当する。
【００８５】
尚、本発明は上記実施の形態に限定されることはなく、様々な変形が可能であることは言うまでもない。例えば、上記実施の形態では、電気泳動方式の表示パネル３で画像表示が行われる携帯端末１を例示したが、公知の液晶ディスプレイ等で画像表示が行われる表示装置であってもよいし、デジタルフォトフレーム等の据え置き型の表示装置であってもよい。
【００８６】
上記実施の形態では、変換前の電子ファイルである未対応データと、変換済みの電子ファイルとを共にメモリカード３０に記憶させている。これにより、各種ファイルを保存するための記憶装置を携帯端末１自体に設ける必要を無くし、携帯端末１の薄型・軽量化、製造コストの抑制等を図っている。しかし、各種ファイルを保存するための内蔵メモリを携帯端末１に設けておき、この内蔵メモリに変換前の未対応データ及び変換済みの電子ファイルを共に記憶させてもよい。さらに、変換前の未対応データが記憶される記憶装置と、変換後の電子ファイルが記憶される記憶装置とが異なっていてもよい。例えば、変換前の未対応データがメモリカード３０に記憶されており、変換済みの電子ファイルが内蔵メモリに保存されるようにしてもよい。
【００８７】
上記実施の形態では、メモリカード３０の保存用フォルダに変換済みの電子ファイルが格納されるが、変換済みの電子ファイルの格納位置は任意とすることができる。また、Ｓ２８のフォルダ表示画面では、変換済みの電子ファイルを選択可能に保存用フォルダが表示されるが、これも変更が可能である。例えば、変換済みの電子ファイルがメモリカード３０のルートディレクトリに直接格納され、フォルダ表示画面では、変換済みの電子ファイルを選択可能にルートディレクトリが表示されてもよい。
【００８８】
上記実施の形態では、１つの未対応データ（すなわち、１つの電子ファイル）の変換が完了する毎に、基となった未対応データがメモリカード３０から削除される。これにより、１つの未対応データの変換の途中で処理が中断した場合でも、その未対応データの変換を最初からやり直すことができる。しかし、未対応データを削除するタイミングも変更できる。例えば、１ページの画像データの変換が終了する毎に変換が完了したか否かを判断し、１ページの変換が完了する毎に、基の未対応データを１ページずつ削除してもよい。また、特定フォルダ内に存在する全ての未対応データの変換が完了してから、未対応データの削除を行ってもよい。また、上記実施の形態では、未選択の未対応データを変換対象データとして１つずつ選択し（図７参照）、選択した１つの変換対象データの変換が終了してから次の変換対象データがまた１つ選択される。しかし、図７に示す変換対象選択処理では、変換対象データが所定数取得されればよく、その所定数は１つに限られない。例えば、所定数の変換対象データとして１度に複数の変換対象データを選択してもよいし、選択される変換対象データの所定数を変更できるようにしてもよい。
【００８９】
上記実施の形態では、ＵＳＢケーブル９が抜脱された場合、及びメモリカード３０が挿入された場合に、データの変換を開始させるタイミングであると判断される。しかし、これも変更可能である。例えば、ＵＳＢケーブル９の抜脱、及びメモリカード３０の挿入のいずれか一方のみを、データの変換を開始させるタイミングとしてもよい。また、ブルートゥース等の規格を用いた無線通信を行う表示装置にも本発明が適用できる。この場合、例えば、通信終了を示すコマンドを外部機器から受信したか否かを判断し、受信したと判断されたタイミングを変換開始タイミングとして処理を行えばよい。
【００９０】
上記実施の形態では、ユーザが電子ファイルに登録した登録日時に基づいて変換対象データを選択することができる（Ｓ４６及びＳ４７、図７参照）。しかし、変換対象データを選択する基準となる日時は、ユーザが登録した日時に限られず、データを編集した日時、データを作成した日時等、適宜変更できる。
【符号の説明】
【００９１】
１    携帯端末
２    複合機
３    表示パネル
６    操作部
９    ＵＳＢケーブル
１１    ＣＰＵ
１２    ＲＯＭ
１３    ＲＡＭ
１４    ＥＥＰＲＯＭ
１５    表示コントローラ
１６    キーコントローラ
１７    メモリカードＩ／Ｆ
１８    ＵＳＢＩ／Ｆ
３０    メモリカード
３１    変換中画面
【図１】
2010272018.tif 000003
【図２】
2010272018.tif 000004
【図３】
2010272018.tif 000005
【図４】
2010272018.tif 000006
【図５】
2010272018.tif 000007
【図６】
2010272018.tif 000008
【図７】
2010272018.tif 000009
【図８】
2010272018.tif 000010
【図９】
2010272018.tif 000011